【手続補正書】
【提出日】平成18年8月8日(2006.8.8)
【手続補正１】
【補正対象書類名】明細書
【補正対象項目名】特許請求の範囲
【補正方法】変更
【補正の内容】
【特許請求の範囲】
【請求項１】  表示装置で表示される地図を表す表示画像データを作成する描画装置であって、
指向性オブジェクトデータを外部から取得する第１の取得部を備え、
前記指向性オブジェクトデータは、地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
ユーザの現在位置と、前記各領域がどの方向を向いているかを示す方向情報との関係に基づいて、当該指向性オブジェクトが有する各領域を、異なる形式で描画して、表示画像データを作成する描画部を備える、描画装置。
【請求項２】  前記描画部は、前記指向性オブジェクトが有する各領域を、異なる透明度で描画する、請求項１に記載の描画装置。
【請求項３】  前記指向性オブジェクトデータは、
前記指向性オブジェクトが存在する代表位置を示す代表位置情報を含んでおり、
前記描画部は、
前記第１の取得部で取得された指向性オブジェクトデータから、代表位置情報を取得する第２の取得部と、
予め算出されているユーザの現在位置と、前記第２の取得部で取得された代表位置情報に基づいて、当該ユーザの現在位置を基準として、指向性オブジェクトの方向を規定する基準ベクトルを算出する第２の算出部と、
前記第１の取得部で取得された指向性オブジェクトデータから方向情報を取得する第３の取得部と、
前記第２の算出部で算出された基準ベクトルと、前記第３の取得部で取得された方向情報の内積を算出する第３の算出部とを含み、
前記第３の算出部で算出された内積の極性に応じて、前記指向性オブジェクトが有する各領域を、異なる形式で描画して、表示画像データを作成する、請求項１に記載の描画装置。
【請求項４】  前記描画部は、前記指向性オブジェクトが有する１つの領域を不透明に描画し、他の領域をワイヤーフレームで描画する、請求項１に記載の描画装置。
【請求項５】  前記描画部は、前記指向性オブジェクトの複数の領域を異なる大きさで描画する、請求項１に記載の描画装置。
【請求項６】  表示装置で表示される地図を表す表示画像データを作成する描画方法であって、
指向性オブジェクトデータを外部から取得する第１の取得ステップを備え、
前記指向性オブジェクトデータは、前記地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
ユーザの現在位置と、前記各領域がどの方向を向いているかを示す方向情報との関係に基づいて、当該指向性オブジェクトが有する各領域を、異なる形式で描画して、前記表示画像データを作成する描画ステップをさらに備える、描画方法。
【請求項７】  表示装置で表示される地図を表す表示画像データを作成するためのコンピュータプログラムであって、
指向性オブジェクトデータを外部から取得する第１の取得ステップを備え、
前記指向性オブジェクトデータは、前記地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
ユーザの現在位置と、前記各領域がどの方向を向いているかを示す方向情報との関係に基づいて、当該指向性オブジェクトが有する各領域を、異なる形式で描画して、前記表示画像データを作成する描画ステップをさらに備える、コンピュータプログラム。
【請求項８】  記録媒体に記録される、請求項７に記載のコンピュータプログラム。
【請求項９】  ユーザを誘導および案内するためのナビゲーション装置であって、
ユーザの現在位置を算出する算出部と、
指向性オブジェクトデータを外部から取得する取得部とを備え、
前記指向性オブジェクトデータは、前記地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
前記算出部で算出されたユーザの現在位置と、前記各領域がどの方向を向いているかを示す方向情報との関係に基づいて、当該指向性オブジェクトが有する各領域を、異なる形式で描画して、今回表示すべき地図を表す表示画像データを作成する描画部と、
前記描画部で作成された表示画像データに従って、地図を表示する表示部とをさらに備える、ナビゲーション装置。
【請求項１０】  表示装置が地図を表示して、ユーザを誘導および案内するためのナビゲーション方法であって、
ユーザの現在位置を算出する算出ステップと、
指向性オブジェクトデータを外部から取得する取得ステップとを備え、
前記指向性オブジェクトデータは、前記地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
前記算出ステップで算出されたユーザの現在位置と、前記各領域がどの方向を向いているかを示す方向情報との関係に基づいて、当該指向性オブジェクトが有する各領域を、異なる形式で描画して、今回表示すべき地図を表す表示画像データを作成する描画ステップと、
前記描画ステップで作成された表示画像データを、前記表示装置に転送する転送ステップとをさらに備え、
前記表示装置は、前記転送ステップで転送された表示画像データに表示処理を行って、地図を表示する、ナビゲーション方法。
【請求項１１】  表示装置が地図を表示して、ユーザを誘導および案内するためのナビゲーション用のコンピュータプログラムであって、
ユーザの現在位置を算出する算出ステップと、
指向性オブジェクトデータを外部から取得する取得ステップとを備え、
前記指向性オブジェクトデータは、前記地図を構成する要素である指向性オブジェクトを表し、当該指向性オブジェクトは、異なる方向を向いている複数の領域を有しており、
前記指向性オブジェクトデータは、前記各領域がどの方向を向いているかを示す方向情報を含み、
前記算出部で算出されたユーザの現在位置と、前記各領域がどの方向を向いているかを示す方向情報との関係に基づいて、当該指向性オブジェクトが有する各領域を、異なる形式で描画して、今回表示すべき地図を表す表示画像データを作成する描画ステップと、
前記描画ステップで作成された表示画像データを、前記表示装置に転送する転送ステップとをさらに備え、
前記表示装置は、前記転送ステップで転送された表示画像データに表示処理を行って、地図を表示する、コンピュータプログラム。
【請求項１２】  記録媒体に記録される、請求項１１に記載のコンピュータプログラム。
【手続補正２】
【補正対象書類名】明細書
【補正対象項目名】００１２
【補正方法】変更
【補正の内容】
【００１２】
【課題を解決するための手段および発明の効果】
第１の発明は、表示装置で表示される地図を表す表示画像データを作成する描画装置であって、指向性オブジェクトデータを外部から取得する第１の取得部を備える。ここで、指向性オブジェクトデータは、地図を構成する要素である指向性オブジェクトを表し、当該指向性オブジェクトは、異なる方向を向いている複数の領域を有する。指向性オブジェクトデータは、各領域がどの方向を向いているかを示す方向情報を含んでおり、描画装置はさらに、ユーザの現在位置と、各領域がどの方向を向いているかを示す方向情報との関係に基づいて、当該指向性オブジェクトが有する各領域を、異なる形式で描画して、表示画像データを作成する描画部を備える。
【手続補正３】
【補正対象書類名】明細書
【補正対象項目名】００１４
【補正方法】変更
【補正の内容】
【００１４】
第２の発明は、第１の発明に従属しており、描画部は、第１の取得部で取得された指向性オブジェクトデータが表す指向性オブジェクトが有する各領域を、異なる透明度で描画する。これにより、指向性オブジェクトを透明または半透明に描画することが可能となるので、ユーザが指向性オブジェクトの後景を視認できる地図を表す表示画像データを作成することができる。
【手続補正４】
【補正対象書類名】明細書
【補正対象項目名】００１５
【補正方法】変更
【補正の内容】
【００１５】
第３の発明は、第１の発明に従属しており、指向性オブジェクトデータは、指向性オブジェクトが存在する代表位置を示す代表位置情報を含む。そして、描画部は、第１の取得部で取得された指向性オブジェクトデータから、代表位置情報を取得する第２の取得部と、予め算出されているユーザの現在位置と、第２の取得部で取得された代表位置情報に基づいて、当該ユーザの現在位置を基準として、指向性オブジェクトの方向を規定する基準ベクトルを算出する第２の算出部と、第１の取得部で取得された指向性オブジェクトデータから方向情報を取得する第３の取得部と、第２の算出部で算出された基準ベクトルと、第３の取得部で取得された方向情報の内積を算出する第３の算出部とを含む。さらに、描画部は、第３の算出部で算出された内積の極性に応じて、指向性オブジェクトが有する各領域を、異なる形式で描画して、表示画像データを作成する。
【手続補正５】
【補正対象書類名】明細書
【補正対象項目名】００１７
【補正方法】変更
【補正の内容】
【００１７】
第４の発明は、第１の発明に従属しており、描画部は、指向性オブジェクトが有する１つの領域を不透明に描画し、他の領域をワイヤーフレームで描画する。これにより、指向性オブジェクトの外形を表す線だけを描画することが可能となるので、ユーザが指向性オブジェクトの後景を視認できる地図を表す表示画像データを作成することができる。
【手続補正６】
【補正対象書類名】明細書
【補正対象項目名】００１８
【補正方法】変更
【補正の内容】
【００１８】
第５の発明は、第１の発明に従属しており、描画部は、指向性オブジェクトの複数の領域を異なる大きさで描画する。これにより、その大きさを変更して指向性オブジェクトを描画することが可能となるので、ユーザが指向性オブジェクトの後景を視認しやすい地図を表す表示画像データを作成することができる。
【手続補正７】
【補正対象書類名】明細書
【補正対象項目名】００１９
【補正方法】変更
【補正の内容】
【００１９】
第６の発明は、表示装置で表示される地図を表す表示画像データを作成する描画方法であって、指向性オブジェクトデータを外部から取得する第１の取得ステップを備える。指向性オブジェクトデータは、地図を構成する要素である指向性オブジェクトを表し、当該指向性オブジェクトは、異なる方向を向いている複数の領域を有す。指向性オブジェクトデータは、各領域がどの方向を向いているかを示す方向情報を含んでおり、描画方法はさらに、ユーザの現在位置と、各領域がどの方向を向いているかを示す方向情報との関係に基づいて、当該指向性オブジェクトが有する各領域を、異なる形式で描画して、表示画像データを作成する描画ステップをさらに備える。
【手続補正８】
【補正対象書類名】明細書
【補正対象項目名】００２０
【補正方法】変更
【補正の内容】
【００２０】
第７の発明は、表示装置で表示される地図を表す表示画像データを作成するためのコンピュータプログラムであって、指向性オブジェクトデータを外部から取得する第１の取得ステップを備える。ここで、指向性オブジェクトデータは、地図を構成する要素である指向性オブジェクトを表し、当該指向性オブジェクトは、異なる方向を向いている複数の領域を有する。指向性オブジェクトデータは、各領域がどの方向を向いているかを示す方向情報を含んでおり、コンピュータプログラムはさらに、ユーザの現在位置と、各領域がどの方向を向いているかを示す方向情報との関係に基づいて、当該指向性オブジェクトが有する各領域を、異なる形式で描画して、表示画像データを作成する描画ステップをさらに備える。
【手続補正９】
【補正対象書類名】明細書
【補正対象項目名】００２３
【補正方法】変更
【補正の内容】
【００２３】
第９の発明は、ユーザを誘導および案内するためのナビゲーション装置であって、ユーザの現在位置を算出する算出部と、指向性オブジェクトデータを外部から取得する取得部とを備える。ここで、指向性オブジェクトデータは、地図を構成する要素である指向性オブジェクトを表し、当該指向性オブジェクトは、異なる方向を向いている複数の領域を有する。指向性オブジェクトデータは、各領域がどの方向を向いているかを示す方向情報を含んでおり、ナビゲーション装置はさらに、算出部で算出されたユーザの現在位置と、各領域がどの方向を向いているかを示す方向情報との関係に基づいて、当該指向性オブジェクトが有する各領域を、異なる形式で描画して、今回表示すべき地図を表す表示画像データを作成する描画部と、描画部で作成された表示画像データに従って、地図を表示する表示部とを備える。
【手続補正１０】
【補正対象書類名】明細書
【補正対象項目名】００２４
【補正方法】変更
【補正の内容】
【００２４】
第１０の発明は、表示装置が地図を表示して、ユーザを誘導および案内するためのナビゲーション方法であって、ユーザの現在位置を算出する算出ステップと
指向性オブジェクトデータを外部から取得する取得ステップとを備える。ここで、指向性オブジェクトデータは、地図を構成する要素である指向性オブジェクトを表し、当該指向性オブジェクトは、異なる方向を向いている複数の領域を有する。指向性オブジェクトデータは、各領域がどの方向を向いているかを示す方向情報を含んでおり、ナビゲーション装置はさらに、算出部で算出されたユーザの現在位置と、各領域がどの方向を向いているかを示す方向情報との関係に基づいて、当該指向性オブジェクトが有する各領域を、異なる形式で描画して、今回表示すべき地図を表す表示画像データを作成する描画ステップと、描画ステップで作成された表示画像データを、表示装置に転送する転送ステップとをさらに備える。表示装置は、転送ステップで転送された表示画像データに表示処理を行って、地図を表示する。
【手続補正１１】
【補正対象書類名】明細書
【補正対象項目名】００２５
【補正方法】変更
【補正の内容】
【００２５】
第１１の発明は、表示装置が地図を表示して、ユーザを誘導および案内するためのナビゲーション用のコンピュータプログラムであって、ユーザの現在位置を算出する算出ステップと、指向性オブジェクトデータを外部から取得する取得ステップとを備える。ここで、指向性オブジェクトデータは、地図を構成する要素である指向性オブジェクトを表し、当該指向性オブジェクトは、異なる方向を向いている複数の領域を有する。指向性オブジェクトデータは、各領域がどの方向を向いているかを示す方向情報を含んでおり、コンピュータプログラムはさらに、算出部で算出されたユーザの現在位置と、各領域がどの方向を向いているかを示す方向情報との関係に基づいて、当該指向性オブジェクトが有する各領域を、異なる形式で描画して、今回表示すべき地図を表す表示画像データを作成する描画ステップと、描画ステップで作成された表示画像データを、表示装置に転送する転送ステップとを備える。表示装置は、転送ステップで転送された表示画像データに表示処理を行って、地図を表示する。